(57)【要約】【課題】薄型に構成することが可能でかつ製品寿命を長くすることのできる、太陽電池パネルと蓄電池とを備えた独立電源式の照明装置を提供する。【解決手段】照明装置１は、装置本体１０と、装置本体１０の正面に配置された太陽電池パネル２０と、太陽電池パネル２０で発電された電力を蓄電する蓄電池４０Ａ，４０Ｂと、蓄電池４０Ａ，４０Ｂから電力が供給されることで発光し、装置本体１０の背面から外部に向けて光を照射する照明ユニット５１Ａ〜５１Ｄとを備える。蓄電池４０Ａ，４０Ｂは、太陽電池パネル２０の背面に断熱性を呈するシート状接着部材６０を介して接着されており、シート状接着部材６０は、アクリル系樹脂を主原料として含む基材と、この基材中に分散配置されたガラスバブルとを含む。【選択図】図６
2011076962.tif 000002
【特許請求の範囲】
【請求項１】
正面および背面を有する装置本体と、
前記装置本体の前記正面に配置された太陽電池パネルと、
前記装置本体に設けられ、前記太陽電池パネルで発電された電力を蓄電する蓄電池と、
前記装置本体に設けられ、前記蓄電池から電力が供給されることで発光し、前記装置本体の前記背面から前記装置本体の外部に向けて光を照射する照明ユニットとを備え、
前記蓄電池が、前記太陽電池パネルの背面に断熱性を有するシート状接着部材を介して接着されている、照明装置。
【請求項２】
前記シート状接着部材は、基材としての樹脂層と、当該樹脂層中に分散配置された中空フィラーとを含んでいる、請求項１に記載の照明装置。
【請求項３】
前記樹脂層は、アクリル系樹脂を主原料として含み、
前記中空フィラーは、ガラスバブルである、請求項２に記載の照明装置。
【請求項４】
前記照明ユニットが、前記蓄電池を前記太陽電池パネルに接着する前記シート状接着部材と同種のシート状接着部材にて前記太陽電池パネルの背面に接着されている、請求項１から３のいずれかに記載の照明装置。
【請求項５】
前記太陽電池パネル、前記蓄電池および前記照明ユニットの少なくともいずれかに電気的に接続された接続回路を含む回路ユニットをさらに備え、
前記回路ユニットが、前記蓄電池を前記太陽電池パネルに接着する前記シート状接着部材と同種のシート状接着部材にて前記太陽電池パネルの背面に接着されている、請求項１から４のいずれかに記載の照明装置。
【請求項６】
前記照明ユニットに含まれる光源としての灯具が、ＬＥＤである、請求項１から５のいずれかに記載の照明装置。
【請求項７】
前記装置本体を柵の縦桟に着脱自在に取付けるための取付具をさらに備えた、請求項１から６のいずれかに記載の照明装置。
【請求項８】
正面および背面を有する装置本体と、
前記装置本体の前記正面に配置された太陽電池パネルと、
前記装置本体に設けられ、前記太陽電池パネルで発電された電力を蓄電する蓄電池と、
前記装置本体に設けられ、前記蓄電池から電力が供給されることで発光し、前記装置本体の前記背面から前記装置本体の外部に向けて光を照射する照明ユニットと、
前記装置本体を柵の縦桟に着脱自在に取付けるための取付具とを備え、
前記装置本体に対する前記取付具の取付け角度が、任意の角度に調節可能である、照明装置。
【発明の詳細な説明】
【技術分野】
【０００１】
本発明は、太陽電池パネルおよび蓄電池を備えた独立電源式の照明装置に関し、より特定的には、歩道橋および橋等の安全柵や道路柵等に着脱自在に取付けが可能に構成された薄型の独立電源式の照明装置に関する。
【背景技術】
【０００２】
従来、歩道橋および橋、道路等を照明するための照明装置としては、支柱の上端に灯具を設けた構成の照明灯設備が採用されることが一般的であった。この照明灯設備においては、光源として蛍光灯や水銀灯、各種放電タイプのランプが使用され、電源として商用電源が使用されている。
【０００３】
しかしながら、上記照明灯設備を採用するためには、灯具を支持する支柱を設置するためのスペースが必要であり、また当該支柱を安定的に設置するためのコンクリート基礎工事や照明灯を商用電源に接続するための電気工事等が必要となり、非常に大掛かりな設備となってしまう問題があった。また、一般的に蛍光灯や水銀灯、各種放電タイプのランプの寿命は約８千時間から約２万時間程度であるため、上記照明灯設備を採用した場合には、約１年から約３年程度毎にその交換を行なうことが必要であり、メンテナンスに多大な労力が必要になるという問題もあった。
【０００４】
さらには、蛍光灯や水銀灯から出射される光の波長には、虫を集めてしまう紫外線領域の波長が含まれており、上記照明灯設備を採用した場合には、時期によっては照明灯に虫が群がり、通行者にとって不快なものとなってしまう問題もあった。加えて、上記照明灯設備を採用した場合には、災害時や商用電力配線網に事故が生じた場合に商用電源が停電することで照明灯設備としての機能が発揮されないといった問題や、商用電源を使用することでランニングコストに膨大な費用がかかったり、環境に対する負荷が大きくなってしまったりするといった問題も生じていた。
【０００５】
これらの問題のうちの多くを解決するものとして、太陽電池パネルと蓄電池とを備えることで独立電源式とされるとともに、光源として低消費電力でかつ高寿命の高輝度ＬＥＤ（Light-Emitting Diode）が採用された構成の照明灯設備が普及しつつある（たとえば特開２００５−２３５５１３号公報（特許文献１）、特開２００８−１９２５２９号公報（特許文献２）等参照）。この種の照明灯設備を採用することにより、商用電源を使用しない独立電源式であるため、上述した電気工事が不要になるといったメリットや、災害時等の緊急時にも使用が可能であるといったメリット、ランニングコストが不要になるといったメリット、環境に対する負荷が小さいといったメリットが得られるとともに、光源として低消費電力でかつ高寿命の高輝度ＬＥＤを使用することで、メンテナンス作業が軽減されるといったメリットや、虫が群がることがないといったメリットが得られることになる。
【０００６】
また、近年、上述した如くの支柱に灯具を設けるのではなく、歩道橋および橋等の安全柵や道路柵等に照明灯を直接組み込んだ構成の照明灯設備が一部普及している（たとえば特開平８−２４６４２６号公報（特許文献３）、実用新案登録第３１２４０４１号公報（特許文献４）等参照）。この種の照明灯設備を採用した場合には、支柱を設けるためのスペースやコンクリート基礎工事が不要になるといったメリットが得られるものの、電源としてはやはり商用電源が使用されるため、上述した多くの問題点を十分に解決するものには至っていない。
【先行技術文献】
【特許文献】
【０００７】
【特許文献１】特開２００５−２３５５１３号公報
【特許文献２】特開２００８−１９２５２９号公報
【特許文献３】特開平８−２４６４２６号公報
【特許文献４】実用新案登録第３１２４０４１号公報
【発明の概要】
【発明が解決しようとする課題】
【０００８】
上述したように、太陽電池パネルと蓄電池とを備えることで独立電源式とされるとともに、光源として低消費電力でかつ高寿命の高輝度ＬＥＤが採用された構成の照明灯設備を採用した場合には、従来の照明灯設備を採用した場合に比べて非常に多くの点で有利な効果を得ることができる。しかしながら、このような照明灯設備においても、支柱に灯具を設ける構成が採用されているため、依然として支柱を設けるためのスペースやコンクリート基礎工事が必要になるという問題を有している。
【０００９】
この問題を解決するためには、歩道橋および橋等の安全柵や道路柵等の既存の設備に独立電源式の照明装置を取付けることが効果的であるが、以下の理由によりその実現には未だ至っていない。
【００１０】
すなわち、歩道橋および橋等の安全柵や道路柵等に照明装置を取付けるためには、当該照明装置の小型化を図ることが必須である。しかしながら、照明機能を十分に確保するためには、当該照明装置によって照明される照明範囲を十分に広く確保することが必要であるため、小型であればどのような形状であってもよいというものではない。したがって、照明装置の外形としては、柵に対する取付けが容易でかつ照明範囲が十分に確保できるように、必然的に薄型に構成される必要がある。
【００１１】
ここで、独立電源式の照明装置とするためには、蓄電池を照明装置に設ける必要があるが、当該蓄電池は、一般的に常温よりも高い温度で使用した場合にその寿命が常温で使用した場合に比べて著しく低下する問題がある。一方で、独立電源式の照明装置とするためには、夜間に長時間にわたって確実に灯具を発光させる必要があるため、十分な発電量が確保できるように上述した如くの太陽電池パネルを利用することが好適に行なわれる。しかしながら、太陽電池パネルの表面には、効率的に発電を行なうために黒色または暗紺色、暗青色の反射防止膜が形成されることが一般的であり、そのため昼間における太陽電池パネルの温度は、概ね気温よりも２０℃から３０℃程度高いものとなってしまう。
【００１２】
したがって、照明装置を薄型化するために太陽電池パネルと蓄電池とを近接配置した場合には、太陽光を受光することで高温状態となった太陽電池パネルの熱が蓄電池に伝熱されてしまうことになり、上述した蓄電池の部品としての寿命の大幅な低下を招いてしまい、結果として照明装置の製品寿命が大幅に短くなってしまう問題が生じる。また、照明装置には、上述した太陽電池パネルや蓄電池の他にも、灯具を含む照明ユニットや、これら太陽電池パネル、蓄電池および照明ユニットに電気的に接続される接続回路が形成された回路ユニットが組み込まれることになるが、これら照明ユニットや回路ユニットについても高温環境下に晒されることでその劣化が早期に進行してしまう問題があり、照明装置を薄型化した場合には、照明装置としての製品寿命が大幅に短くなってしまう問題を招いてしまう。
【００１３】
このように、太陽電池パネルと蓄電池とを備えた独立電源式の照明装置の薄型化を図るためには、熱的な影響から製品寿命を長く確保することが困難になるという課題があった。なお、太陽電池パネルと蓄電池とを別体にて構成し、これを歩道橋および橋等の安全柵や道路柵等に個別に取付ける構成を採用することで上述した熱的な影響が生じることを回避することも考えられなくはないが、そのように構成した場合には、設置作業が煩雑化するといった問題や、これら別体にて構成した太陽電池パネルと蓄電池とを電気的に接続する配線が外部に露出してしまうこととなり美観を損ねてしまうといった問題を招き、必ずしも効果的な解決策と言うことはできない。また、太陽電池パネルと蓄電池とを別体にて構成した場合には、災害時等の緊急時においてこれを柵から取り外して使用することもできなくなってしまう問題も生じる。
【００１４】
したがって、本発明は、上述した課題を解決すべくなされたものでり、その目的とするところは、薄型に構成することが可能でかつ製品寿命を長くすることのできる、太陽電池パネルと蓄電池とを備えた独立電源式の照明装置を提供することにあり、またこれによって歩道橋および橋等の安全柵や道路柵等へ独立電源式の照明装置を着脱自在に取付け可能にすることにある。
【００１５】
また、本発明の他の目的は、災害時等の緊急時において歩道橋および橋等の安全柵や道路柵等の柵から容易に取り外して使用することができるとともに、柵の形状の如何を問わずに容易に取付けが可能な独立電源式の照明装置を提供することにある。
【課題を解決するための手段】
【００１６】
本発明に基づく照明装置は、正面および背面を有する装置本体と、上記装置本体の上記正面に配置された太陽電池パネルと、上記装置本体に設けられ、上記太陽電池パネルで発電された電力を蓄電する蓄電池と、上記装置本体に設けられ、上記蓄電池から電力が供給されることで発光し、上記装置本体の上記背面から上記装置本体の外部に向けて光を照射する照明ユニットとを備えている。上記蓄電池は、上記太陽電池パネルの背面に断熱性を有するシート状接着部材を介して接着されている。
【００１７】
上記本発明に基づく照明装置にあっては、上記シート状接着部材が、基材としての樹脂層と、当該樹脂層中に分散配置された中空フィラーとを含んでいることが好ましい。
【００１８】
上記本発明に基づく照明装置にあっては、上記樹脂層が、アクリル系樹脂を主原料として含み、上記中空フィラーが、ガラスバブルであることが好ましい。
【００１９】
上記本発明に基づく照明装置にあっては、上記照明ユニットが、上記蓄電池を上記太陽電池パネルに接着する上記シート状接着部材と同種のシート状接着部材にて上記太陽電池パネルの背面に接着されていることが好ましい。
【００２０】
上記本発明に基づく照明装置にあっては、当該照明装置が、上記太陽電池パネル、上記蓄電池および上記照明ユニットの少なくともいずれかに電気的に接続された接続回路を含む回路ユニットをさらに備えていてもよく、その場合には、上記回路ユニットが、上記蓄電池を上記太陽電池パネルに接着する上記シート状接着部材と同種のシート状接着部材にて上記太陽電池パネルの背面に接着されていることが好ましい。
【００２１】
上記本発明に基づく照明装置にあっては、上記照明ユニットに含まれる光源としての灯具が、ＬＥＤであることが好ましい。
【００２２】
好ましくは、上記本発明に基づく照明装置は、上記装置本体を柵の縦桟に着脱自在に取付けるための取付具をさらに備える。
【００２３】
また、本発明の他の局面に基づく照明装置は、正面および背面を有する装置本体と、上記装置本体の上記正面に配置された太陽電池パネルと、上記装置本体に設けられ、上記太陽電池パネルで発電された電力を蓄電する蓄電池と、上記装置本体に設けられ、上記蓄電池から電力が供給されることで発光し、上記装置本体の上記背面から上記装置本体の外部に向けて光を照射する照明ユニットと、上記装置本体を柵の縦桟に着脱自在に取付けるための取付具とを備えている。そして、上記装置本体に対する上記取付具の取付け角度は、任意の角度に調節できる。
【発明の効果】
【００２４】
本発明によれば、薄型に構成することが可能でかつ製品寿命を長くすることのできる、太陽電池パネルと蓄電池とを備えた独立電源式の照明装置とすることができ、そのため歩道橋および橋等の安全柵や道路柵等への取付けが着脱可能とされた独立電源式の照明装置とすることができる。
【００２５】
また、本発明の他の局面によれば、災害時等の緊急時において歩道橋および橋等の安全柵や道路柵等の柵から容易に取り外して使用することができるとともに、柵の形状の如何を問わずに容易に取付けが可能な独立電源式の照明装置とすることができる。
【図面の簡単な説明】
【００２６】
【図１】本発明の実施の形態における照明装置の正面図および側面図である。
【図２】本発明の実施の形態における照明装置の背面図である。
【図３】本発明の実施の形態における照明装置の図１（Ａ）中に示すＩＩＩ−ＩＩＩ線に沿った模式断面図である。
【図４】本発明の実施の形態における照明装置の図１（Ａ）中に示すＩＶ−ＩＶ線に沿った模式断面図である。
【図５】本発明の実施の形態における照明装置の機能ブロックの構成を示す図である。
【図６】本発明の実施の形態における照明装置の組付け構造を示す分解斜視図である。
【図７】本発明の実施の形態における照明装置の太陽電池パネルと蓄電池との接着部分における拡大模式断面図である。
【図８】本発明の実施の形態における照明装置を柵に取付けた状態を示す図である。
【図９】本発明の実施の形態における照明装置を柵に取付けた状態を示す図である。
【図１０】本発明の実施の形態における照明装置の柵に対する取付構造を示す模式側面図である。
【図１１】本発明の実施の形態における照明装置を柵に取付けるための上部取付具の斜視図である。
【図１２】本発明の実施の形態における照明装置を柵に取付けるための下部取付具を当該照明装置に取付ける様子を示す斜視図である。
【発明を実施するための形態】
【００２７】
以下、本発明の一実施の形態について、図を参照して詳細に説明する。なお、以下に示す実施の形態における照明装置は、歩道橋および橋等の安全柵や道路柵等への取付けが可能に構成されることで、昼間において太陽光を受光することで充電を行い、夜間において歩道橋や橋、道路等の照明に使用されるものである。また、以下に示す実施の形態における照明装置は、災害時等の緊急時には、柵からこれを取り外して使用することが企図されたものでもある。
【００２８】
図１（Ａ）は、本発明の実施の形態における照明装置の正面図であり、図１（Ｂ）は、側面図である。図２は、本発明の実施の形態における照明装置の背面図である。また、図３は、図１（Ａ）中に示すＩＩＩ−ＩＩＩ線に沿った模式断面図であり、図４は、図１（Ａ）中に示すＩＶ−ＩＶ線に沿った模式断面図である。まず、これら図１ないし図４を参照して、本実施の形態における照明装置の構造について説明する。
【００２９】
図１ないし図４に示すように、本実施の形態における照明装置１は、箱状に形成された装置本体１０を有している。装置本体１０は、持ち運びが容易となるように小型化（特に薄型化）および軽量化が十分に図られており、その外形は、おおよそ高さ１５ｃｍ〜６０ｃｍ程度、幅２０ｃｍ〜６５ｃｍ程度、奥行き２．５ｃｍ〜５．５ｃｍ程度とされ、その重量は、おおよそ２ｋｇ〜７ｋｇ程度とされている。
【００３０】
装置本体１０は、枠状に形成されることで装置本体１０の上面、下面、右側面および左側面を構成するフレーム１１と、フレーム１１の右側面および左側面に取付けられた一対の取付けアーム１３と、フレーム１１の内側の所定位置に取付けられた一対の支持部材１６と、フレーム１１の上面に取付けられた把手１８とを備えている。これらフレーム１１、取付けアーム１３、支持部材１６および把手１８は、耐候性および剛性に優れた比較的軽量の部材にて構成されることが好ましく、たとえばアルミニウム合金やステンレス合金等の金属製の部材や、ＡＢＳ（アクリロニトリル−ブタジエン−スチレン共重合体）樹脂等の樹脂製の部材にて構成される。
【００３１】
取付けアーム１３は、照明装置１を歩道橋および橋等の安全柵や道路柵等へ取付ける際の取付具の一部となるものであり、そのフレーム１１に対する取付け角度が任意に調節できるように、たとえばボルト１４を用いてフレーム１１に取付けられる。また、取付けアーム１３の所定位置には、後述する上部取付具７０（図１１参照）を固定するための穴１３ａが設けられている。また、装置本体１０の右側面および左側面の所定位置には、後述する下部取付具８０（図１２参照）を固定するための穴１５がそれぞれ１つずつ設けられている。
【００３２】
支持部材１６は、後述するカバーレンズ５０を装置本体１０に取付けるための部材であり、たとえばビス留め等によってフレーム１１に固定されている。把手１８は、照明装置１を持ち運ぶ際に手で持つための部位となるものであり、たとえばビス留め等によってフレーム１１に取付けられている。
【００３３】
また、装置本体１０の右側面の上部には、当該照明装置１の動作を切り替える操作部１２が設けられている。操作部１２は、当該照明装置１を作動させるための作動スイッチ１２ａと、強制的に後述する照明ユニット５１Ａ〜５１Ｄを作動させて照明を行なわせるための強制照明スイッチ１２ｂとを含んでおり、各々のスイッチ１２ａ，１２ｂは、たとえばトグルスイッチ（レバースイッチ）やロッカスイッチ等にて構成されている。
【００３４】
装置本体１０の正面には、太陽光を受光することで発電する太陽電池パネル２０が配置されている。より詳細には、太陽電池パネル２０は、上述した枠状のフレーム１１にその周縁が固定されており、装置本体１０の正面において露出している。なお、太陽電池パネル２０の露出面は、太陽電池セルの破損を防止する観点から、透光性の強化プラスチックや強化ガラス等によって覆われていることが好ましい。好適には、太陽電池パネル２０としては、単結晶型や多結晶型あるいは薄膜型等のシリコン系太陽電池や化合物系太陽電池等が使用される。また、太陽電池パネル２０のフレーム１１への固定には、貼着や接着、嵌め込み、ビス留め等が好適に利用される。
【００３５】
一方、装置本体１０の背面には、後述する照明ユニット５１Ａ〜５１Ｄから照射される光を拡散しつつその放射強度を均一化するカバーレンズ５０が配置されている。より詳細には、カバーレンズ５０は、フレーム１１に取付けられた太陽電池パネル２０の背面と距離をもって対向するように配置されており、装置本体１０の背面において露出している。なお、カバーレンズ５０としては、軽量化の観点から、たとえばアクリル系樹脂やポリカーボネイト樹脂等に代表される透光性の樹脂材料を原料とした射出成形品が利用されることが好ましい。また、カバーレンズ５０は、上述した一対の支持部材１６を介してフレーム１１に固定されており、その支持部材１６への固定には、接着や嵌め込み、ビス留め等が好適に利用される。
【００３６】
装置本体１０の内部の空間には、内部構成部品としての端子ボックス２１、コントロールユニット３０、一対の蓄電池４０Ａ，４０Ｂ、保護回路ユニット４１および４つに分割されて構成された照明ユニット５１Ａ〜５１Ｄが配置されている。
【００３７】
端子ボックス２１は、太陽電池パネル２０にて発電された電力を太陽電池パネル２０から取り出すための出力端子が設けられたユニットであり、装置本体１０の内部の空間のうちの上部に収容されている。
【００３８】
コントロールユニット３０は、当該照明装置１の全体を制御する制御部３１（図５参照）を含むユニットであり、装置本体１０の内部の空間の略中央部に収容されている。コントロールユニット３０は、箱状のケースと、当該箱状のケースによって覆われた回路基板とを含んでおり、このうちの回路基板に上述した制御部３１や後述する各種回路３２，３３等が設けられている。
【００３９】
蓄電池４０Ａ，４０Ｂは、太陽電池パネル２０で発電された電力を蓄電するためのものであり、装置本体１０の内部の空間のうちの下部に収容されている。蓄電池４０Ａ，４０Ｂとしては、たとえばオリビン型リン酸鉄リチウムイオン電池等に代表されるリチウムイオン電池や、ニッケル水素電池、ニッケルカドミウム電池、鉛電池等が利用される。
【００４０】
保護回路ユニット４１は、蓄電池４０Ａ，４０Ｂを保護するための各種保護回路が設けられてなるユニットであり、装置本体１０の略中央部でかつコントロールユニット３０の下方に収容されている。保護回路ユニット４１は、箱状のケースと、当該箱状のケースによって覆われた回路基板とを含んでおり、このうちの回路基板に上述した各種保護回路が設けられている。
【００４１】
照明ユニット５１Ａ〜５１Ｄは、蓄電池４０Ａ，４０Ｂから電力が供給されることで発光するユニットであり、装置本体１０の内部の空間のうちの上下方向の略中央部に左右方向に沿って４分割されて整列して配置されている。各々の照明ユニット５１Ａ〜５１Ｄは、上下方向に沿って延びる細長い略直方形の回路基板５２と、当該回路基板５２の表面に実装された複数の高輝度ＬＥＤ５３とを含んでいる。複数の高輝度ＬＥＤ５３は、照明装置１の光源となるものであり、回路基板５２の各々の表面に長手方向に沿って配置されている。
【００４２】
以上により、高輝度ＬＥＤ５３は、太陽電池パネル２０の背面上においてアレイ状に配置されることになり、高輝度ＬＥＤ５３が発光することで出射された光は、装置本体１０の背面に配置されたカバーレンズ５０を介して装置本体１０の外部に向けて照射されることになる。これにより、照明ユニット５１Ａ〜５１Ｄは、全体として面光源として機能することになり、その照明範囲が広範囲に確保されることになる。なお、高輝度ＬＥＤ５３としては、青色発光ダイオード、緑色発光ダイオード、黄色発光ダイオード、白色発光ダイオード等種々の発光ダイオードが使用可能であるが、特に好適に白色発光ダイオードが使用される。
【００４３】
なお、上述した内部構成部品としての端子ボックス２１、コントロールユニット３０、一対の蓄電池４０Ａ，４０Ｂ、保護回路ユニット４１および４つに分割されて構成された照明ユニット５１Ａ〜５１Ｄは、図示しないリード線等によって相互に電気的に接続されている。これにより、後述する各種機能ブロックが接続されることになり、照明装置１が動作することになる。
【００４４】
また、装置本体１０の内部の空間には、遮光シートが配置されていてもよい。当該遮光シートは、カバーレンズ５０の前方であって太陽電池パネル２０の後方に配置されることが好ましく、照明ユニット５１Ａ〜５１Ｄの背面側を除く部分に配置され、照明ユニット５１Ａ〜５１Ｄが設けられた部分を除く装置本体１０の内部の構成がカバーレンズ５０を介して視認できないように目隠しするためのものである。
【００４５】
図５は、本実施の形態における照明装置の機能ブロックを示す図である。次に、この図５を参照して、本実施の形態における照明装置の機能ブロックの構成について説明する。
【００４６】
図５に示すように、本実施の形態における照明装置１は、上述した太陽電池パネル２０、蓄電池４０Ａ，４０Ｂ、照明ユニット５１Ａ〜５１Ｄ、保護回路ユニット４１、操作部１２および制御部３１に加え、充電回路３２および放電回路３３を備えている。
【００４７】
充電回路３２は、太陽電池パネル２０で発電された電力を制御部３１の指令に基づいて蓄電池４０Ａ，４０Ｂに充電するための回路である。より詳細には、充電回路３２は、太陽電池パネル２０の発電電圧が一定値以上に達した場合に当該発電された電力を蓄電池４０Ａ，４０Ｂに送ることで蓄電池４０Ａ，４０Ｂの充電を行い、太陽電池パネル２０の発電電圧が上記一定値未満となった場合に蓄電池４０Ａ，４０Ｂの充電を停止する。また、充電回路３２は、上述した各種保護回路をも含んでおり、蓄電池４０Ａ，４０Ｂが満充電された場合に蓄電池４０Ａ，４０Ｂの過充電を防止すべく蓄電池４０Ａ，４０Ｂの充電を停止し、蓄電池４０Ａ，４０Ｂの電圧が一定値以下になった場合に蓄電池４０Ａ，４０Ｂの充電の停止を解除して充電を再開する。また、上述した各種保護回路として、充電回路３２は、太陽電池パネル２０から蓄電池４０Ａ，４０Ｂに送られる電力が過電流状態となることを防止する過電流保護回路や、蓄電池４０Ａ，４０Ｂから太陽電池パネル２０への電流の逆流を防止する逆流防止回路等を含んでいてもよい。
【００４８】
放電回路３３は、蓄電池４０Ａ，４０Ｂに蓄電された電力を制御部３１の指令に基づいて照明ユニット５１Ａ〜５１Ｄに供給するための回路である。より詳細には、放電回路３３は、蓄電池４０Ａ，４０Ｂの電圧が一定値以上である場合に制御部３１の指令に基づいて蓄電池４０Ａ，４０Ｂに蓄電された電力を照明ユニット５１Ａ〜５１Ｄに供給し、蓄電池４０Ａ，４０Ｂの電圧が一定値未満である場合に過放電を防止すべく照明ユニット５１Ａ〜５１Ｄに対する蓄電池４０Ａ，４０Ｂからの電力の供給を停止する。
【００４９】
操作部１２は、上述しように当該照明装置１の動作を切り替えるための部位であり、具体的には、ユーザが操作部１２操作した場合にこれを制御部３１に出力する。
【００５０】
また、制御部３１は、上述したように照明装置１の全体を制御する部位であり、太陽電池パネル２０からの発電電圧の情報や蓄電池４０Ａ，４０Ｂからの蓄電された電力の残量の情報、操作部１２からのユーザの操作の有無の情報等の入力を受け、これに基づいて充電回路３２や放電回路３３、照明ユニット５１Ａ〜５１Ｄの動作の制御を行なう。
【００５１】
図６は、本実施の形態における照明装置の組付け構造を示す分解斜視図である。また、図７は、本実施の形態における照明装置の太陽電池パネルと蓄電池との接着部分における拡大も式断面図である。次に、これら図６および図７を参照して、本実施の形態における照明装置の内部部品の組付け構造について説明する。
【００５２】
図６に示すように、本実施の形態における照明装置１においては、内部構成部品に相当する、上述した蓄電池４０Ａ，４０Ｂ、照明ユニット５１Ａ〜５１Ｄ、端子ボックス２１、コントロールユニット３０および保護回路ユニット４１が、いずれもシート状接着部材６０によって太陽電池パネル２０の背面に接着されて固定されている（図３および図４参照）。
【００５３】
より具体的には、蓄電池４０Ａ，４０Ｂ、照明ユニット５１Ａ〜５１Ｄ、端子ボックス２１、コントロールユニット３０および保護回路ユニット４１のそれぞれにシート状接着部材６０の一方の接着面が接着されるように、予めカットされたシート状接着部材６０を接着し、このシート状接着部材６０の他方の接着面が太陽電池パネル２０の背面に接着されるように、これら蓄電池４０Ａ，４０Ｂ、照明ユニット５１Ａ〜５１Ｄ、端子ボックス２１、コントロールユニット３０および保護回路ユニット４１のそれぞれを太陽電池パネル２０の背面に押し付けて固定することで、これら内部構成部品が太陽電池パネル２０に組付けられる。
【００５４】
ここで、図７に示すように、シート状接着部材６０としては、基材としての樹脂層６１と、当該樹脂層６１中に分散配置された中空フィラー６２とを含む高い断熱性を有するものが使用される。より好ましくは、シート状接着部材６０としては、上記樹脂層６１がアクリル系樹脂を主原料として含むものであり、上記中空フィラー６２としてガラスバブルを含むものが利用される。なお、図７に示すように基材としての樹脂層６１が粘着性を有するものを使用してもよいし、基材としての樹脂層６１自体は粘着性を有しておらず、その表裏面に粘着層が別途形成されたものを使用してもよい。
【００５５】
このように内部構成部品としての蓄電池４０Ａ，４０Ｂ、照明ユニット５１Ａ〜５１Ｄ、端子ボックス２１、コントロールユニット３０および保護回路ユニット４１を、高耐熱性を有するシート状接着部材６０を用いて太陽電池パネル２０の背面に接着固定することにより、装置本体１０の薄型化を図りつつ、太陽電池パネル２０にて生じた熱をこれら内部構成部品に伝熱することが抑制できる。
【００５６】
図８および図９は、本実施の形態における照明装置を柵に取付けた状態を示す図であり、図１０は、本実施の形態における照明装置の柵に対する取付構造を示す模式側面図である。また、図１１は、本実施の形態における照明装置を柵に取付けるための上部取付具の斜視図であり、図１２は、下部取付具を照明装置に取付ける様子を示す斜視図である。次に、これら図８ないし図１２を参照して、本実施の形態における照明装置の歩道橋および橋等の安全柵や道路柵等への具体的な取付構造、取付方法等について説明する。
【００５７】
図８および図９に示すように、照明装置１は、歩道橋および橋等の安全柵や道路柵等に代表される柵１００Ａ，１００Ｂの縦桟１０１に対して着脱自在に取付けられる。ここで、取付けに際しては、照明装置１に付設された一対の取付けアーム１３および照明装置１に付属される図１０ないし図１２に示す如くの上部取付具７０および下部取付具８０等が用いられる。
【００５８】
図１１に示すように、上部取付具７０は、角柱状かつ棒状の部材からなり、その両端に設けられた穴に取付けアーム１３の穴１３ａが合致された状態において当該穴にボルト７１が締め込まれることで取付けアーム１３に固定される。その際、図１０に示すように、照明装置１の装置本体１０の背面とこの上部取付具７０とによって柵の縦桟１０１が挟み込まれるようにすることで、照明装置１の上部が柵に対して固定されることになる。
【００５９】
また、図１２に示すように、下部取付具８０は、略Ｌ字状の部材からなり、その所定位置に設けられた長穴８０ａにフレーム１１の穴１５が合致された状態において当該穴にボルト８１が締め込まれることでフレーム１１に固定される。その際、図１０に示すように、照明装置１の装置本体１０の背面とこの下部取付具８０によって柵の縦桟１０１が挟み込まれるようにすることで、照明装置１の下部が柵に対して固定されることになる。
【００６０】
このように、上部取付具７０および下部取付具８０を用いて照明装置１が柵１００Ａ，１００Ｂの縦桟１０１に取付けられることにより、照明装置１が安定的に柵１００Ａ，１００Ｂに固定されることになる。なお、上部取付具７０および下部取付具８０としては、耐候性および剛性に優れた部材にて構成されることが好ましく、たとえばアルミニウム合金やステンレス合金等の金属製の部材にて構成される。また、これら上部取付具７０および下部取付具８０の縦桟１０１に接触する面は、保持力を高めることで取付け強度の向上を図るために、耐候性に優れたシリコーンラバーやＥＰＤＭ（エチレン−プロピレン−ジエン共重合体）樹脂等の軟質の部材にて覆われていてもよい。
【００６１】
ここで、装置本体１０の正面が太陽が位置する方角を向くように（たとえば北半球においては東側から南側を経由して西側までのいずれかの方向を向くように）、かつ装置本体１０の背面が柵１００Ａ，１００Ｂの縦桟１０１を向くように、照明装置１が柵１００Ａ，１００Ｂに設置されることにより、図１０に示すように、昼間においては、太陽電池パネル２０にて効率よく太陽光２００が受光されて発電が行なわれ、発電された電力が蓄電池４０Ａ，４０Ｂに充電され、夜間においては、蓄電池４０Ａ，４０Ｂに蓄電された電力が使用されることで照明ユニット５１Ａ〜５１Ｄが発光し、照明装置１の背面から照射される光が、縦桟１０１の隙間を介して歩道橋および橋、道路等の路面を照明することになる。
【００６２】
このように、照明装置１を縦桟１０１に取付けることにより、長期にわたって屋外に設置されて使用された場合にも照明装置１が汚れ難く、そのため受光面（すなわち太陽電池パネル２０が位置する装置本体１０の正面）および発光面（すなわち照明ユニット５１Ａ〜５１Ｄから出射された光が透過する装置本体１０の背面）の清掃作業が大幅に低減でき、各種のメンテナンスが殆ど不要になる効果が得られる。また、照明装置１を縦桟１０１に取付けることにより、積雪による発電損失も生じず、積雪地域での使用も可能になる。
【００６３】
なお、上述した装置本体１０に設けられた取付けアーム１３は、照明装置１を柵に取付けて使用せずに床面や地表面等に設置して使用する場合に、装置本体１０を傾斜させて支持する支持アームとなる。したがって、この取付けアーム１３を支持アームとして使用して太陽電池パネル２０を太陽が位置する方向に向けて設置することにより、効率的な発電が可能になるとともに、この取付けアーム１３を支持アームとして使用して装置本体１０の背面を被照明対象物に向けて設置することにより、効率的な照明を行なうことが可能になる。
【００６４】
以上において説明した本実施の形態の如くの照明装置１とすることにより、上述した内部構成部品を太陽電池パネル２０の背面に高断熱性を有するシート状接着部材６０を介して接着固定することで、当該太陽電池パネル２０にて生じる熱の影響を受けることを抑制しつつ装置本体１０に組付けることが可能になる。そのため、太陽電池パネル２０と他の内部構成部品とを別体にて構成することなく装置本体１０に一体的に組付けた場合にも、装置本体１０を従来に比して大幅に薄型に構成することができる。したがって、上述したように照明装置１を容易に着脱自在に歩道橋および橋等の安全柵や道路柵等に取付けることが可能になる。
【００６５】
また、上述した本実施の形態の如くの照明装置１とすることにより、取付けアーム１３の装置本体１０に対する取付け角度を任意の角度に調節することができる。したがって、当該取付け角度を調節することにより、所定範囲内の様々な太さあるいは形状の縦桟１０１に対して装置本体１０を取付けることが可能になる。その結果、柵の形状の如何を問わずに容易に柵に対して取付けることができる照明装置１とすることができる。
【００６６】
そのため、上記構成の照明装置１を採用することにより、歩道橋および橋等の安全柵や道路柵等とは別に支柱を設ける必要もなく、大掛かりな設置工事が不要になる効果が得られるとともに、独立電源式であるため商用電源に接続する必要もなく、電気工事が不要になる効果も得られる。また、上記構成の照明装置１を採用することにより、独立電源式であるため、ランニングコストが不要になるといった効果や、環境に対する負荷が小さいといった効果、災害時や商用電力配線網に事故が生じた場合にも照明としての機能が発揮される効果を得ることもできる。また、上記構成の照明装置１とすることにより、災害時等の緊急時に必要に応じて照明装置１を柵から取り外して持ち運んで使用することも可能になり、二次災害の発生が防止できるといった効果や被災者の利用に供することができるといった効果を得ることもできる。
【００６７】
加えて、上記構成の照明装置１においては、光源として低消費電力でかつ高寿命の高輝度ＬＥＤ５３が採用されているため、輝度が初期値の７０％に低下するまでの期間も約４万時間と長く、また蛍光灯や水銀灯のように直ちに球切れや点滅状態になることもなく徐々に輝度が落ちていくのみであり、状況によっては当該高輝度ＬＥＤ５３の交換作業が約７年から約１０年の間不要になる効果も得られる。また、光源として上記高輝度ＬＥＤ５３を使用することで、虫が群がることがなくなる効果を得ることもできる。
【００６８】
また、上記構成の照明装置１においては、装置本体１０に強制照明スイッチ１２ｂを設けているため、必要時には周辺の明るさによらず照明動作を行なうことも可能であり、特に柵から取り外して使用した場合の利便性についてもこれが確保されている。
【００６９】
このように、本実施の形態における照明装置１を採用することにより、従来の照明灯設備が有していた欠点のほぼすべてが解決されることになる。
【００７０】
なお、上述した本実施の形態においては、蓄電池に加え、他の内部構成部品をも太陽電池パネルの背面に高断熱性のシート状接着部材を用いて接着固定した場合を例示して説明を行なったが、これら他の構成部品については、必ずしもこのような組付け構造が採用されている必要はなく、その厚みが薄く構成できる場合には、フレームや支持部材にビス留め等によって固定されていてもよい。
【００７１】
また、上述した本実施の形態においては、歩道橋および橋等の安全柵や道路柵等に照明装置を取付ける場合を例示して説明を行なったが、この他にも敷地を区切るパイプ式の柵や金網式の柵、門、塀、窓に取付けられる格子等あらゆるものに対して上記照明装置の取付けが可能である。また、その場合に採用される取付具の構成も、上述したものに限られるものではなく、必要に応じて他の構成の取付具を使用してもよい。
【００７２】
また、上述した本実施の形態においては、縦桟に対して装置本体の背面が向いた状態で照明装置を柵に取付けた場合を例示して説明を行なったが、場合によっては、照明装置の正面、すなわち太陽電池パネル側が縦桟に対面した状態で照明装置を柵に取付けることとしてもよい。
【００７３】
このように、今回開示した上記一実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００７４】
１  照明装置、１０  装置本体、１１  フレーム、１２  操作部、１２ａ  作動スイッチ、１２ｂ  強制照明スイッチ、１３  取付けアーム、１３ａ  穴、１４  ボルト、１５  穴、１６  支持部材、１８  把手、２０  太陽電池パネル、２１  端子ボックス、３０  コントロールユニット、３１  制御部、３２  充電回路、３３  放電回路、４０Ａ，４０Ｂ  蓄電池、４１  保護回路ユニット、５０  カバーレンズ、５１Ａ〜５１Ｄ  照明ユニット、５２  回路基板、５３  高輝度ＬＥＤ、６０  シート状接着部材、６１  樹脂層、６２  中空フィラー、７０  上部取付具、７１  ボルト、８０  下部取付具、８０ａ  長穴、８１  ボルト、１００Ａ，１００Ｂ  柵、１０１  縦桟、２００  太陽光。
【図１】
2011076962.tif 000003
【図２】
2011076962.tif 000004
【図３】
2011076962.tif 000005
【図４】
2011076962.tif 000006
【図５】
2011076962.tif 000007
【図６】
2011076962.tif 000008
【図７】
2011076962.tif 000009
【図８】
2011076962.tif 000010
【図９】
2011076962.tif 000011
【図１０】
2011076962.tif 000012
【図１１】
2011076962.tif 000013
【図１２】
2011076962.tif 000014